(57)【特許請求の範囲】
【請求項１】
ネットワーク容量拡大のための方法であって、
複数のセルにおけるモバイル・ユーザのオンライン記録情報を収集するステップであって、該モバイル・ユーザの該オンライン記録情報は、ユーザ識別情報、該ユーザ識別情報に対応するサービス・タイプ、ならびに該サービス・タイプに対応するアップリンク・トラフィック、ダウンリンク・トラフィック、およびオンライン持続時間を含む、ステップと、
該複数のセルにおける該サービス・タイプの各々、該サービス・タイプの各々に対応する該アップリンク・トラフィック、および該ダウンリンク・トラフィック、ならびに該サービス・タイプの各々に対応する事前設定された閾値に従って、該セルの各々におけるターゲット・サービス・タイプをそれぞれ獲得するステップと、
各セルについて、該セルにおける該ターゲット・サービス・タイプに対応する総トラフィック、および該ターゲット・サービス・タイプのオンライン持続時間に従って、該セルにおける該ターゲット・サービス・タイプのレートを獲得するステップと、
該ターゲット・サービス・タイプの各々について、異なるセルにおける該ターゲット・サービス・タイプに対応するレートに従って、該ターゲット・サービス・タイプのターゲット・レートを獲得するステップと、
該ターゲット・サービス・タイプの各々について、異なるセルにおける該ターゲット・サービス・タイプに対応する該オンライン持続時間、異なるセルにおける該ターゲット・サービス・タイプ以外の他のターゲット・サービス・タイプに対応するオンライン持続時間、該ターゲット・サービス・タイプに対応する該ユーザ識別情報の数、および該ターゲット・サービス・タイプに対応する該ユーザ識別情報下における該ターゲット・サービス・タイプの記録された数に従って、該ターゲット・サービス・タイプの重み、および個別ユーザの同時サービスの数を獲得するステップと、
各セルについて、該ターゲット・サービス・タイプのアップリンク・トラフィック、ダウンリンク・トラフィック、該オンライン持続時間、該ターゲット・レート、および該重み、ならびに該セルにおける該個別ユーザの同時サービスの該数に従って、該セルにおける該個別ユーザによって経験されるターゲット・レート、および該ユーザによって経験される実際の平均レートを獲得するステップと、
各セルについて、該セルにおける無線リソースの利用率、およびオンライン・ユーザの数を獲得し、該セルにおける該個別ユーザによって経験される該ターゲット・レート、および該ユーザによって経験される該実際の平均レート、ならびに該無線リソースの該利用率、および該オンライン・ユーザの該数に従って、ターゲット・セルを決定するステップであって、該ターゲット・セルにおける該個別ユーザによって経験される該ターゲット・レートは、該ターゲット・セルにおける該ユーザによって経験される該実際の平均レートよりも大きく、該ターゲット・セルにおける該無線リソースの該利用率は、事前設定された閾値よりも大きく、該ターゲット・セルにおけるオンライン・ユーザの該数は、事前設定された閾値よりも大きい、ステップと、
該ターゲット・セル上において該ネットワーク容量拡大を実行するステップと
を含む方法。
【請求項２】
前記ターゲット・サービス・タイプの各々について、異なるセルにおける前記ターゲット・サービス・タイプに対応するレートに従って、前記ターゲット・サービス・タイプの前記ターゲット・レートを獲得する前記ステップは、
前記ターゲット・サービス・タイプの各々について、異なるセルにおける前記ターゲット・サービス・タイプに対応する前記レートを降順で順序付けるステップと、
事前設定されたパーセンテージに従って、該順序付けの後に、異なるセルにおける前記ターゲット・サービス・タイプの前記レートを抽出し、該抽出の後に、前記ターゲット・サービス・タイプの前記ターゲット・レートを獲得するために、異なるセルにおける前記ターゲット・サービス・タイプに対応する前記レートを平均するステップと
を含む、請求項１に記載の方法。
【請求項３】
前記複数のセルにおける前記サービス・タイプの各々、前記サービス・タイプの各々に対応する前記アップリンク・トラフィック、および前記ダウンリンク・トラフィック、ならびに前記サービス・タイプの各々に対応する事前設定された閾値に従って、前記セルの各々における前記ターゲット・サービス・タイプをそれぞれ獲得する前記ステップは、
各セルについて、前記セルにおける前記サービス・タイプの各々、ならびに前記サービス・タイプの各々に対応する前記アップリンク・トラフィック、および前記ダウンリンク・トラフィックに従って、前記セルにおける前記サービス・タイプの各々の総トラフィックを獲得するステップと、
前記セルにおける前記サービス・タイプの各々の前記総トラフィック、および前記サービス・タイプの各々に対応する前記事前設定された閾値に従って、前記ターゲット・サービス・タイプを獲得するステップであって、前記ターゲット・サービス・タイプの前記総トラフィックは、前記ターゲット・サービス・タイプに対応する前記事前設定された閾値よりも大きい、ステップと
を含む、請求項１に記載の方法。
【請求項４】
前記ターゲット・サービス・タイプの各々について、異なるセルにおける前記ターゲット・サービス・タイプに対応する前記オンライン持続時間、異なるセルにおける前記ターゲット・サービス・タイプ以外の他のターゲット・サービス・タイプに対応する前記オンライン持続時間、前記ターゲット・サービス・タイプに対応する前記ユーザ識別情報の前記数、ならびに前記ターゲット・サービス・タイプに対応する前記ユーザ識別情報下における該ターゲット・サービス・タイプの記録された数に従って、前記ターゲット・サービス・タイプの前記重み、および前記個別ユーザの同時サービスの前記数を獲得するステップは、
前記ターゲット・サービス・タイプの各々が配置された第ｊのセルについて、該第ｊのセルにおける前記ターゲット・サービス・タイプに対応する前記オンライン持続時間、および該第ｊのセルにおけるすべてのターゲット・タイプに対応する前記オンライン持続時間の総和を獲得し、前記ターゲット・サービス・タイプが配置された該第ｊのセルの前記重みを獲得するステップと、
前記ターゲット・サービス・タイプの各々が配置された該第ｊのセルについて、該第ｊのセルにおける前記ターゲット・サービス・タイプに対応するユーザ識別情報の前記数、ならびに前記ターゲット・サービス・タイプに対応する前記ユーザ識別情報下における前記ターゲット・サービス・タイプの記録された数に従って、式
【数１】
0006434659.tif 000010
を用いることによって、前記ターゲット・サービス・タイプが配置された該第ｊのセルにおける前記個別ユーザの同時サービスの前記数を獲得するステップと
を含み、
ここで、Ｃｊは、該第ｊのセルにおける前記個別ユーザの同時サービスの前記数であり、ｎｊは、該第ｊのセルにおける前記ターゲット・サービス・タイプの総数であり、Ｎｉｊは、該第ｊのセルにおける第ｉのターゲット・サービス・タイプの記録された数であり、Ｍｉｊは、該第ｊのセルにおける該第ｉのターゲット・サービス・タイプを使用するユーザの数であり、ｊは、正の整数である、
請求項２に記載の方法。
【請求項５】
各セルについて、前記ターゲット・サービス・タイプの前記アップリンク・トラフィック、前記ダウンリンク・トラフィック、前記オンライン持続時間、前記ターゲット・レート、および前記重み、ならびに前記セルにおける前記個別ユーザの同時サービスの前記数に従って、前記セルにおける前記個別ユーザによって経験される前記ターゲット・レート、および前記ユーザによって経験される前記実際の平均レートを獲得する前記ステップは、
前記ターゲット・サービス・タイプの前記ターゲット・レート、前記ターゲット・サービス・タイプの前記重み、および前記セルにおける前記個別ユーザの同時サービスの前記数に従って、式
【数２】
0006434659.tif 000011
を用いることによって、前記セルの各々における前記個別ユーザによって経験される前記ターゲット・レートを獲得するステップであって、ここで、ＶＯｊは、前記第ｊのセルにおける前記個別ユーザによって経験される前記ターゲット・レートであり、ｉは、前記サービス・タイプであり、Ｖｉｊは、前記第ｊのセルにおける前記第ｉのターゲット・サービスの前記ターゲット・レートであり、Ｗｉｊは、前記第ｊのセルにおける前記第ｉのターゲット・サービス・タイプの前記重みであり、Ｃｊは、前記第ｊのセルにおける前記個別ユーザの同時サービスの平均数であり、ｎｊは、前記第ｊのセルにおける前記ターゲット・サービス・タイプの総数であり、ｊは、正の整数である、ステップと、
前記ターゲット・サービス・タイプの各々について、すべての前記セルにおける前記ターゲット・サービス・タイプの前記アップリンク・トラフィック、前記ダウンリンク・トラフィック、および前記オンライン持続時間に従って、すべての前記ターゲット・サービス・タイプの総トラフィック、およびすべての前記ターゲット・サービス・タイプの総オンライン持続時間を獲得し、前記セルにおける前記ユーザによって経験される前記実際の平均レートを獲得するステップと
を含む、請求項４に記載の方法。
【請求項６】
前記ターゲット・サービス・タイプの各々について、異なるセルにおける前記ターゲット・サービス・タイプに対応する前記オンライン持続時間、異なるセルにおける前記ターゲット・サービス・タイプ以外の前記他のターゲット・サービス・タイプに対応する前記オンライン持続時間、前記ターゲット・サービス・タイプに対応する前記ユーザ識別情報の前記数、および前記ターゲット・サービス・タイプに対応する前記ユーザ識別情報下における前記ターゲット・サービス・タイプの前記記録された数に従って、前記ターゲット・サービス・タイプの前記重み、および前記個別ユーザの同時サービスの前記数を獲得する前記ステップは、
すべての前記セルにおける前記ターゲット・サービス・タイプの各々について、すべての前記セルにおける前記ターゲット・サービス・タイプに対応するオンライン持続時間、ならびにすべての前記セルにおけるすべての前記ターゲット・タイプに対応する前記オンライン持続時間の総和を獲得し、すべての前記セルにおける前記ターゲット・サービス・タイプの前記重みを獲得するステップと、
すべての前記セルにおける前記ターゲット・サービス・タイプに対応する前記ユーザ識別情報の前記数、および前記ターゲット・サービス・タイプに対応する前記ユーザ識別情報下における前記ターゲット・サービス・タイプの前記記録された数に従って、式
【数３】
0006434659.tif 000012
を用いることによって、前記ターゲット・サービス・タイプの前記個別ユーザの同時サービスの前記数を獲得するステップと
を含み、
ここで、Ｃは、前記ターゲット・サービス・タイプの前記個別ユーザの同時サービスの前記数であり、ｎは、すべての前記セルにおける前記ターゲット・サービス・タイプの前記総数であり、Ｎｉは、すべての前記セルにおける第ｉのターゲット・サービス・タイプの前記記録された数であり、Ｍｉは、すべての前記セルにおいて使用される該第ｉのターゲット・サービス・タイプを使用するユーザの前記数である、
請求項３に記載の方法。
【請求項７】
各セルについて、前記ターゲット・サービス・タイプの前記アップリンク・トラフィック、前記ダウンリンク・トラフィック、前記オンライン持続時間、前記ターゲット・レート、および前記重み、ならびに前記セルにおける前記個別ユーザの同時サービスの前記数に従って、前記セルにおける前記個別ユーザによって経験される前記ターゲット・レート、および前記ユーザによって経験される前記実際の平均レートを獲得するステップは、
式
【数４】
0006434659.tif 000013
を用いることによって、前記ターゲット・サービス・タイプの前記ターゲット・レート、前記ターゲット・サービス・タイプの前記重み、ならびに前記個別ユーザの同時サービスの前記数に従って、前記セルにおける前記個別ユーザによって経験される前記ターゲット・レートを獲得するステップであって、ここで、ＶＯは、前記セルにおける前記個別ユーザによって経験される前記ターゲット・レートであり、ｉは、正の整数であり、Ｖｉは、前記第ｉのターゲット・サービス・タイプの前記ターゲット・レートであり、Ｗｉは、すべての前記セルにおける前記第ｉのターゲット・サービス・タイプの前記重みであり、Ｃは、すべての前記セルにおける前記個別ユーザの同時サービスの平均数であり、ｎは、すべての前記セルにおける前記ターゲット・サービス・タイプの数である、ステップと、
前記ターゲット・サービス・タイプの各々について、すべての前記セルにおける前記ターゲット・サービス・タイプの前記アップリンク・トラフィック、前記ダウンリンク・トラフィック、および前記オンライン持続時間に従って、すべての前記ターゲット・サービス・タイプの前記総トラフィック、およびすべての前記ターゲット・サービス・タイプの総オンライン持続時間を獲得し、前記セルにおける前記ユーザによって経験される前記実際の平均レートを獲得するステップと
を含む、請求項６に記載の方法。
【請求項８】
ネットワーク容量拡大のための装置であって、
複数のセルにおけるモバイル・ユーザのオンライン記録情報を収集するように構成された収集モジュールであって、該モバイル・ユーザの該オンライン記録情報は、ユーザ識別情報、該ユーザ識別情報に対応するサービス・タイプ、ならびに該サービス・タイプに対応するアップリンク・トラフィック、ダウンリンク・トラフィック、およびオンライン持続時間を含む、収集モジュールと、
該複数のセルにおける該サービス・タイプの各々、該サービス・タイプの各々に対応する該アップリンク・トラフィック、および該ダウンリンク・トラフィック、ならびに該サービス・タイプの各々に対応する事前設定された閾値に従って、該セルの各々におけるターゲット・サービス・タイプをそれぞれ獲得するように構成された第１の獲得モジュールと、
各セルについて、該セルにおける該ターゲット・サービス・タイプに対応する総トラフィック、および該ターゲット・サービス・タイプのオンライン持続時間に従って、該セルにおける該ターゲット・サービス・タイプのレートを獲得するように構成された第２の獲得モジュールと、
該ターゲット・サービス・タイプの各々について、異なるセルにおける該ターゲット・サービス・タイプに対応するレートに従って、該ターゲット・サービス・タイプのターゲット・レートを獲得するように構成された第３の獲得モジュールと、
該ターゲット・サービス・タイプの各々について、異なるセルにおける該ターゲット・サービス・タイプに対応する該オンライン持続時間、異なるセルにおける該ターゲット・サービス・タイプ以外の他のターゲット・サービス・タイプに対応するオンライン持続時間、該ターゲット・サービス・タイプに対応するユーザ識別情報の数、および該ターゲット・サービス・タイプに対応する該ユーザ識別情報下における該ターゲット・サービス・タイプの記録された数に従って、該ターゲット・サービス・タイプの重み、および個別ユーザの同時サービスの数を獲得するように構成された第４の獲得モジュールと、
各セルについて、該ターゲット・サービス・タイプのアップリンク・トラフィック、ダウンリンク・トラフィック、該オンライン持続時間、該ターゲット・レート、および該重み、ならびに該セルにおける該個別ユーザの同時サービスの該数に従って、該セルにおける該個別ユーザによって経験されるターゲット・レート、および該ユーザによって経験される実際の平均レートを獲得するように構成された第５の獲得モジュールと、
各セルについて、該セルにおける無線リソースの利用率、およびオンライン・ユーザの数を獲得し、該セルにおける該個別ユーザによって経験される該ターゲット・レート、および該ユーザによって経験される該実際の平均レート、ならびに該無線リソースの該利用率、およびオンライン・ユーザの該数に従って、ターゲット・セルを決定するように構成された決定モジュールであって、該ターゲット・セルにおける該個別ユーザによって経験される該ターゲット・レートは、該ターゲット・セルにおける該ユーザによって経験される該実際の平均レートよりも大きく、該ターゲット・セルにおける該無線リソースの該利用率は、事前設定された閾値よりも大きく、該ターゲット・セルにおけるオンライン・ユーザの該数は、事前設定された閾値よりも大きい、決定モジュールと、
該ターゲット・セル上においてネットワーク容量拡大を実行するように構成された容量拡大モジュールと
を備える装置。
【請求項９】
前記第３の獲得モジュールは、
前記ターゲット・サービス・タイプの各々について、異なるセルにおける前記ターゲット・サービス・タイプに対応する前記レートを降順で順序付けるように構成された、順序付けユニットと、
事前設定されたパーセンテージに従って、該順序付けの後に、異なるセルにおける前記ターゲット・サービス・タイプの前記レートを抽出するように構成された、抽出ユニットと、
該抽出の後に、前記ターゲット・サービス・タイプの前記ターゲット・レートを獲得するために、異なるセルにおける前記ターゲット・サービス・タイプに対応する前記レートを平均するように構成された、第１のターゲット・レート獲得ユニットと
を備える、請求項８に記載の装置。
【請求項１０】
前記第１の獲得モジュールは、
各セルについて、前記セルにおける前記サービス・タイプの各々、ならびに前記サービス・タイプの各々に対応する前記アップリンク・トラフィック、および前記ダウンリンク・トラフィックに従って、前記セルにおける前記サービス・タイプの各々の総トラフィックを獲得するように構成された、トラフィック獲得ユニットと、
前記セルにおける前記サービス・タイプの各々の該総トラフィック、および前記サービス・タイプの各々に対応する前記事前設定された閾値に従って、前記ターゲット・サービス・タイプを獲得するように構成された、ターゲット・サービス・タイプ獲得ユニットであって、前記ターゲット・サービス・タイプの該総トラフィックは、前記ターゲット・サービス・タイプに対応する前記事前設定された閾値よりも大きい、ターゲット・サービス・タイプ獲得ユニットと
を備える、請求項８に記載の装置。
【請求項１１】
前記第４の獲得モジュールは、
前記ターゲット・サービス・タイプの各々が配置された第ｊのセルについて、該第ｊのセルにおける前記ターゲット・サービス・タイプに対応する前記オンライン持続時間、および該第ｊのセルにおけるすべてのターゲット・タイプに対応する前記オンライン持続時間の総和を獲得し、前記ターゲット・サービス・タイプが配置された該第ｊのセルの前記重みを獲得するように構成された、第１の重み獲得ユニットと、
前記ターゲット・サービス・タイプの各々が配置された該第ｊのセルについて、該第ｊのセルにおける前記ターゲット・サービス・タイプに対応するユーザ識別情報の前記数、ならびに前記ターゲット・サービス・タイプに対応する前記ユーザ識別情報下における前記ターゲット・サービス・タイプの前記記録された数に従って、式
【数５】
0006434659.tif 000014
を用いることによって、前記ターゲット・サービス・タイプが配置された該第ｊのセルにおける該個別ユーザの同時サービスの該数を獲得するように構成された、第１の同時サービス数獲得ユニットと
を備え、
ここで、Ｃｊは、該第ｊのセルにおける前記個別ユーザの同時サービスの前記数であり、ｎｊは、該第ｊのセルにおけ前記るターゲット・サービス・タイプの前記総数であり、Ｎｉｊは、該第ｊのセルにおける第ｉのターゲット・サービス・タイプの記録された数であり、Ｍｉｊは、該第ｊのセルにおける該第ｉのターゲット・サービス・タイプを使用するユーザの数であり、ｊは、正の整数である、
請求項９に記載の装置。
【請求項１２】
前記第５の獲得モジュールは、
前記ターゲット・サービス・タイプの前記ターゲット・レート、前記ターゲット・サービス・タイプの前記重み、および前記セルにおける前記個別ユーザの同時サービスの前記数に従って、式
【数６】
0006434659.tif 000015
を用いることによって、前記セルの各々における前記個別ユーザによって経験される前記ターゲット・レートを獲得するように構成された、第２のターゲット・レート獲得ユニット
を備え、
ここで、ＶＯｊは、前記第ｊのセルにおける前記個別ユーザによって経験される前記ターゲット・レートであり、ｉは、前記サービス・タイプであり、Ｖｉｊは、前記第ｊのセルにおける前記第ｉのターゲット・サービス・タイプの前記ターゲット・レートであり、Ｗｉｊは、前記第ｊのセルにおける前記第ｉのターゲット・サービス・タイプの前記重みであり、Ｃｊは、前記第ｊのセルにおける前記個別ユーザの同時サービスの平均数であり、ｎｊは、前記第ｊのセルにおける前記ターゲット・サービス・タイプの総数であり、ｊは、正の整数であり、また
前記ターゲット・サービス・タイプの各々について、すべての前記セルにおける前記ターゲット・サービス・タイプの前記アップリンク・トラフィック、前記ダウンリンク・トラフィック、および前記オンライン持続時間に従って、すべての前記ターゲット・サービス・タイプの総トラフィック、およびすべての前記ターゲット・サービス・タイプの総オンライン持続時間を獲得し、前記セルにおける前記ユーザによって経験される前記実際の平均レートを獲得するように構成された、第１の経験レート獲得ユニット
を備える、請求項１１に記載の装置。
【請求項１３】
前記第４の獲得モジュールは、
すべての前記セルにおける前記ターゲット・サービス・タイプの各々について、すべての前記セルにおける前記ターゲット・サービス・タイプに対応するオンライン持続時間、ならびにすべての前記セルにおけるすべての前記ターゲット・タイプに対応する前記オンライン持続時間の総和を獲得し、すべての前記セルにおける前記ターゲット・サービス・タイプの前記重みを獲得するように構成された、第２の重み獲得ユニットと、
すべての前記セルにおける前記ターゲット・サービス・タイプに対応する前記ユーザ識別情報の前記数、および前記ターゲット・サービス・タイプに対応する前記ユーザ識別情報下における前記ターゲット・サービス・タイプの前記記録された数に従って、式
【数７】
0006434659.tif 000016
を用いることによって、前記ターゲット・サービス・タイプの前記個別ユーザの同時サービスの前記数を獲得するように構成された、第２の同時サービス数獲得ユニットと
を備え、
ここで、Ｃは、前記ターゲット・サービス・タイプの前記個別ユーザの同時サービスの前記数であり、ｎは、すべての前記セルにおける前記ターゲット・サービス・タイプの前記総数であり、Ｎｉは、すべての前記セルにおける第ｉのターゲット・サービス・タイプの前記記録された数であり、Ｍｉは、すべての前記セルにおいて使用される該第ｉのターゲット・サービス・タイプを使用するユーザの前記数である、
請求項１０に記載の装置。
【請求項１４】
前記第５の獲得モジュールは、
前記ターゲット・サービス・タイプの前記ターゲット・レート、前記ターゲット・サービス・タイプの前記重み、ならびに前記個別ユーザの同時サービスの前記数に従って、式
【数８】
0006434659.tif 000017
を用いることによって、前記セルにおける前記個別ユーザによって経験される前記ターゲット・レートを獲得するように構成された、第３のターゲット・レート獲得ユニット
を備え、
ここで、ＶＯは、前記セルにおける前記個別ユーザによって経験される前記ターゲット・レートであり、ｉは、正の整数であり、Ｖｉは、前記第ｉのターゲット・サービス・タイプの前記ターゲット・レートであり、Ｗｉは、すべての前記セルにおける前記第ｉのターゲット・サービス・タイプの前記重みであり、Ｃは、すべての前記セルにおける前記個別ユーザの同時サービスの平均数であり、ｎは、すべての前記セルにおける前記ターゲット・サービス・タイプの数であり、また
前記ターゲット・サービス・タイプの各々について、すべての前記セルにおける前記ターゲット・サービス・タイプの前記アップリンク・トラフィック、前記ダウンリンク・トラフィック、および前記オンライン持続時間に従って、すべての前記ターゲット・サービス・タイプの前記総トラフィック、およびすべての前記ターゲット・サービス・タイプの総オンライン持続時間を獲得し、前記セルにおける前記ユーザによって経験される前記実際の平均レートを獲得するように構成された、第２の経験レート獲得ユニット
を備える、請求項１３に記載の装置。
【発明の詳細な説明】
【技術分野】
【０００１】
本発明は、通信技術の分野に関し、特に、ネットワーク容量拡大のための方法および装置に関する。
【背景技術】
【０００２】
インテリジェント端末の急速な普及に伴い、モバイル・インターネットのデータ・サービスによって運ばれるフローは、劇的に増えており、現在のネットワークの容量は、インターネット・アクセスに対するユーザの日々の需要を満たすことができず、したがって、ネットワークの容量は、拡大の必要があり、そのような方法は、ネットワーク容量拡大と呼ばれることもある。
【０００３】
今のところ、ネットワーク容量拡大のための方法は、主に、セル内における無線リソース負荷の状態に従って、ネットワーク容量拡大を実行している。具体的には、セル内における無線リソースの利用率が、６０％を超え、１５よりも多いオンライン・ユーザが、存在する場合に、ネットワーク容量拡大が、このセルに対して実行される。
【０００４】
それにもかかわらず、いくつかの特別な状況下、例えば、セル内における無線リソースの利用率が６０％を超え、オンライン・ユーザの数が１５よりも多いが、すべてのオンライン・ユーザがセルの中央に配置され、すなわち、ユーザが、きわめて良好なエクスペリエンスを謳歌している状況下においては、ネットワークは容量拡大を必要としない。そのようなケースでは、現在の容量拡大方法が採用されるとき、セルがネットワーク容量拡大を必要としていると決定されるので、それはリソースの浪費の原因となる。
【発明の概要】
【発明が解決しようとする課題】
【０００５】
本発明は、ネットワーク容量拡大が、ネットワーク容量拡大の必要のないセルに対して実行され、したがって、リソースの浪費の原因となるという先行技術における問題に対処するための、ネットワーク容量拡大のための方法および装置を提供する。
【課題を解決するための手段】
【０００６】
本発明の第１の態様は、ネットワーク容量拡大のための方法を提供し、方法は、以下のステップを含む。
【０００７】
複数のセルにおけるモバイル・ユーザのオンライン記録情報を収集するステップであって、モバイル・ユーザのオンライン記録情報は、ユーザ識別情報、ユーザ識別情報に対応するサービス・タイプ、ならびにサービス・タイプに対応するアップリンク・トラフィック、ダウンリンク・トラフィック、およびオンライン持続時間を含む、ステップ。
【０００８】
複数のセルにおけるサービス・タイプの各々、サービス・タイプの各々に対応するアップリンク・トラフィック、およびダウンリンク・トラフィック、ならびにサービス・タイプの各々に対応する事前設定された閾値に従って、セルの各々におけるターゲット・サービス・タイプをそれぞれ獲得するステップ。
【０００９】
各セルについて、セルにおけるターゲット・サービス・タイプに対応する総トラフィック、およびターゲット・サービス・タイプのオンライン持続時間に従って、セルにおけるターゲット・サービス・タイプのレートを獲得するステップ。
【００１０】
ターゲット・サービス・タイプの各々について、異なるセルにおけるターゲット・サービス・タイプに対応するレートに従って、ターゲット・サービス・タイプのターゲット・レートを獲得するステップ。
【００１１】
ターゲット・サービス・タイプの各々について、異なるセルにおけるターゲット・サービス・タイプに対応するオンライン持続時間、異なるセルにおけるターゲット・サービス・タイプ以外の他のターゲット・サービス・タイプに対応するオンライン持続時間、ターゲット・サービス・タイプに対応するユーザ識別情報の数、およびターゲット・サービス・タイプに対応するユーザ識別情報下におけるターゲット・サービス・タイプの記録された数に従って、ターゲット・サービス・タイプの重み、および個別ユーザの同時サービスの数を獲得するステップ。
【００１２】
各セルについて、ターゲット・サービス・タイプのアップリンク・トラフィック、ダウンリンク・トラフィック、オンライン持続時間、ターゲット・レート、および重み、ならびにセルにおける個別ユーザの同時サービスの数に従って、セルにおける個別ユーザによって経験されるターゲット・レート、およびユーザによって経験される実際の平均レートを獲得するステップ。
【００１３】
各セルについて、セルにおける無線リソースの利用率、およびオンライン・ユーザの数を獲得し、セルにおける個別ユーザによって経験されるターゲット・レート、およびユーザによって経験される実際の平均レート、ならびに無線リソースの利用率、およびオンライン・ユーザの数に従って、ターゲット・セルを決定するステップであって、ターゲット・セルにおける個別ユーザによって経験されるターゲット・レートは、ターゲット・セルにおけるユーザによって経験される実際の平均レートよりも大きく、ターゲット・セルにおける無線リソースの利用率は、事前設定された閾値よりも大きく、ターゲット・セルにおけるオンライン・ユーザの数は、事前設定された閾値よりも大きい、ステップ。
【００１４】
ターゲット・セル上においてネットワーク容量拡大を実行するステップ。
【００１５】
本発明の第２の態様は、ネットワーク容量拡大のための装置を提供し、装置は、以下のモジュールを含む。
【００１６】
複数のセルにおけるモバイル・ユーザのオンライン記録情報を収集するように構成された収集モジュールであって、モバイル・ユーザのオンライン記録情報は、ユーザ識別情報、ユーザ識別情報に対応するサービス・タイプ、ならびにサービス・タイプに対応するアップリンク・トラフィック、ダウンリンク・トラフィック、およびオンライン持続時間を含む、収集モジュール。
【００１７】
複数のセルにおけるサービス・タイプの各々、サービス・タイプの各々に対応するアップリンク・トラフィック、およびダウンリンク・トラフィック、ならびにサービス・タイプの各々に対応する事前設定された閾値に従って、セルの各々におけるターゲット・サービス・タイプをそれぞれ獲得するように構成された第１の獲得モジュール。
【００１８】
各セルについて、セルにおけるターゲット・サービス・タイプに対応する総トラフィック、およびターゲット・サービス・タイプのオンライン持続時間に従って、セルにおけるターゲット・サービス・タイプのレートを獲得するように構成された第２の獲得モジュール。
【００１９】
ターゲット・サービス・タイプの各々について、異なるセルにおけるターゲット・サービス・タイプに対応するレートに従って、ターゲット・サービス・タイプのターゲット・レートを獲得するように構成された第３の獲得モジュール。
【００２０】
ターゲット・サービス・タイプの各々について、異なるセルにおけるターゲット・サービス・タイプに対応するオンライン持続時間、異なるセルにおけるターゲット・サービス・タイプ以外の他のターゲット・サービス・タイプに対応するオンライン持続時間、ターゲット・サービス・タイプに対応するユーザ識別情報の数、およびターゲット・サービス・タイプに対応するユーザ識別情報下におけるターゲット・サービス・タイプの記録された数に従って、ターゲット・サービス・タイプの重み、および個別ユーザの同時サービスの数を獲得するように構成された第４の獲得モジュール。
【００２１】
各セルについて、ターゲット・サービス・タイプのアップリンク・トラフィック、ダウンリンク・トラフィック、オンライン持続時間、ターゲット・レート、および重み、ならびにセルにおける個別ユーザの同時サービスの数に従って、セルにおける個別ユーザによって経験されるターゲット・レート、およびユーザによって経験される実際の平均レートを獲得するように構成された第５の獲得モジュール。
【００２２】
各セルについて、セルにおける無線リソースの利用率、およびオンライン・ユーザの数を獲得し、セルにおける個別ユーザによって経験されるターゲット・レート、およびユーザによって経験される実際の平均レート、ならびに無線リソースの利用率、およびオンライン・ユーザの数に従って、ターゲット・セルを決定するように構成された決定モジュールであって、ターゲット・セルにおける個別ユーザによって経験されるターゲット・レートは、ターゲット・セルにおけるユーザによって経験される実際の平均レートよりも大きく、ターゲット・セルにおける無線リソースの利用率は、事前設定された閾値よりも大きく、ターゲット・セルにおけるオンライン・ユーザの数は、事前設定された閾値よりも大きい、
決定モジュール。
【００２３】
ターゲット・セル上においてネットワーク容量拡大を実行するように構成された容量拡大モジュール。
【００２４】
本発明は、ネットワーク容量拡大のための方法および装置を提供し、この方法および装置は、複数のセルにおけるモバイル・ユーザのオンライン記録情報を収集することであって、モバイル・ユーザのオンライン記録情報は、ユーザ識別情報、ユーザ識別情報に対応するサービス・タイプ、ならびにサービス・タイプに対応するアップリンク・トラフィック、ダウンリンク・トラフィック、およびオンライン持続時間を含む、収集することと、複数のセルにおけるサービス・タイプの各々、サービス・タイプの各々に対応するアップリンク・トラフィック、およびダウンリンク・トラフィック、ならびにサービス・タイプの各々に対応する事前設定された閾値に従って、セルの各々におけるターゲット・サービス・タイプをそれぞれ獲得することと、各セルについて、セルにおけるターゲット・サービス・タイプに対応する総トラフィック、およびターゲット・サービス・タイプのオンライン持続時間に従って、セルにおけるターゲット・サービス・タイプのレートを獲得することと、ターゲット・サービス・タイプの各々について、異なるセルにおけるターゲット・サービス・タイプに対応するレートに従って、ターゲット・サービス・タイプのターゲット・レートを獲得することと、ターゲット・サービス・タイプの各々について、異なるセルにおけるターゲット・サービス・タイプに対応するオンライン持続時間、異なるセルにおけるターゲット・サービス・タイプ以外の他のターゲット・サービス・タイプに対応するオンライン持続時間、ターゲット・サービス・タイプに対応するユーザ識別情報の数、およびターゲット・サービス・タイプに対応するユーザ識別情報下におけるターゲット・サービス・タイプの記録された数に従って、ターゲット・サービス・タイプの重み、および個別ユーザの同時サービスの数を獲得することと、各セルについて、アップリンク・トラフィック、ダウンリンク・トラフィック、オンライン持続時間、ターゲット・サービス・タイプのターゲット・レート、および重み、ならびにセルにおける個別ユーザの同時サービスの数に従って、セルにおける個別ユーザによって経験されるターゲット・レート、およびユーザによって経験される実際の平均レートを獲得することと、各セルについて、セルにおける無線リソースの利用率、およびオンライン・ユーザの数を獲得し、セルにおける個別ユーザによって経験されるターゲット・レート、およびユーザによって経験される実際の平均レート、ならびに無線リソースの利用率、およびオンライン・ユーザの数に従って、ターゲット・セルを決定することであって、ターゲット・セルにおける個別ユーザによって経験されるターゲット・レートは、ターゲット・セルにおけるユーザによって経験される実際の平均レートよりも大きく、ターゲット・セルにおける無線リソースの利用率は、事前設定された閾値よりも大きく、ターゲット・セルにおけるオンライン・ユーザの数は、事前設定された閾値よりも大きい、決定することと、ターゲット・セル上においてネットワーク容量拡大を実行することとを含む。そのような方法においては、セルにおける無線リソースの利用率、ユーザによって経験される実際の平均レート、および個別ユーザによって経験されるターゲット・レートに従って、ターゲット・セルが、決定されることができ、ネットワーク容量拡大が、ターゲット・セル上において実行され、それによって、ターゲット・セルにおけるユーザ・エクスペリエンスを改善し、それと同時に、良好なユーザ・エクスペリエンスを有するセルの容量拡大に起因するリソース浪費の問題を回避する。
【００２５】
本発明の実施形態または先行技術における技術的ソリューションをより明瞭に説明するために、実施形態または先行技術における説明のために必要とされる図面が、簡潔に説明され、明らかに、これ以降で説明される図面は、本発明のいくつかの実施形態であり、他の図面が、これらの添付の図面に従って、創造的な努力なしに、当業者によって獲得されてよい。
【図面の簡単な説明】
【００２６】
【図１】本発明によって提供されるネットワーク容量拡大のための方法の実施形態１のフロー図である。
【００２７】
【図２】本発明によって提供されるネットワーク容量拡大のための方法の実施形態２のフロー図である。
【００２８】
【図３】本発明によって提供されるネットワーク容量拡大のための方法の実施形態３のフロー図である。
【００２９】
【図４】本発明によって提供されるネットワーク容量拡大のための方法の実施形態４のフロー図である。
【００３０】
【図５】本発明によって提供されるネットワーク容量拡大のための方法の実施形態５のフロー図である。
【００３１】
【図６】本発明によって提供されるネットワーク容量拡大のための方法の実施形態６のフロー図である。
【００３２】
【図７】本発明によって提供されるネットワーク容量拡大のための方法の実施形態７のフロー図である。
【００３３】
【図８】本発明によって提供されるネットワーク容量拡大のための装置の実施形態１の構造図である。
【００３４】
【図９】本発明によって提供されるネットワーク容量拡大のための装置の実施形態２の構造図である。
【００３５】
【図１０】本発明によって提供されるネットワーク容量拡大のための装置の実施形態３の構造図である。
【００３６】
【図１１】本発明によって提供されるネットワーク容量拡大のための装置の実施形態４の構造図である。
【００３７】
【図１２】本発明によって提供されるネットワーク容量拡大のための装置の実施形態５の構造図である。
【００３８】
【図１３】本発明によって提供されるネットワーク容量拡大のための装置の実施形態６の構造図である。
【００３９】
【図１４】本発明によって提供されるネットワーク容量拡大のための装置の実施形態７の構造図である。
【発明を実施するための形態】
【００４０】
本発明の実施形態の目的、技術的ソリューション、および利点をより明白にするために、本発明の実施形態の技術的ソリューションが、本発明の実施形態における添付の図面を参照して、以下において明白かつ完全に説明される。明らかに、本明細書において説明される実施形態は、本発明の実施形態のすべてではなく、一部にすぎない。本発明の実施形態に基づいて、創造的な努力なしに、当業者によって獲得される他の実施形態のすべては、本発明の範囲内にある。
【００４１】
図１は、本発明によって提供されるネットワーク容量拡大のための方法の実施形態１のフロー図であり、図１に示されるように、方法は、以下のステップを含む。
【００４２】
ステップ１０１は、複数のセルにおけるモバイル・ユーザのオンライン記録情報を収集するステップである。モバイル・ユーザのオンライン記録情報は、ユーザ識別情報、ユーザ識別情報に対応するサービス・タイプ、ならびにサービス・タイプに対応するアップリンク・トラフィック、ダウンリンク・トラフィック、およびオンライン持続時間を含む。
【００４３】
ステップ１０２は、複数のセルにおけるサービス・タイプの各々、サービス・タイプの各々に対応するアップリンク・トラフィック、およびダウンリンク・トラフィック、ならびにサービス・タイプの各々に対応する事前設定された閾値に従って、各セルにおけるターゲット・サービス・タイプをそれぞれ獲得するステップである。
【００４４】
ステップ１０３は、各セルについて、セルにおけるターゲット・サービス・タイプに対応する総トラフィック、およびターゲット・サービス・タイプに対応するオンライン持続時間に従って、セルにおけるターゲット・サービス・タイプのレートを獲得するステップである。
【００４５】
ステップ１０４は、ターゲット・サービス・タイプの各々について、異なるセルにおけるターゲット・サービス・タイプに対応するレートに従って、ターゲット・サービス・タイプのターゲット・レートを獲得するステップである。
【００４６】
ステップ１０５は、ターゲット・サービス・タイプの各々について、異なるセルにおけるターゲット・サービス・タイプに対応するオンライン持続時間、異なるセルにおけるターゲット・サービス・タイプ以外の他のターゲット・サービス・タイプに対応するオンライン持続時間、ターゲット・サービス・タイプに対応するユーザ識別情報の数、ならびにターゲット・サービス・タイプに対応するユーザ識別情報下におけるターゲット・サービス・タイプの記録された数に従って、ターゲット・サービス・タイプの重み、および個別ユーザの同時サービスの数を獲得するステップである。
【００４７】
ステップ１０６は、各セルについて、ターゲット・サービス・タイプのアップリンク・トラフィック、ダウンリンク・トラフィック、オンライン持続時間、ターゲット・レート、および重み、ならびにセルにおける個別ユーザの同時サービスの数に従って、セルにおける個別ユーザによって経験されるターゲット・レート、およびユーザによって経験される実際の平均レートを獲得するステップである。
【００４８】
ステップ１０７は、各セルについて、セルにおける無線リソースの利用率、およびオンライン・ユーザの数を獲得し、セルにおける個別ユーザによって経験されるターゲット・レート、およびユーザによって経験される実際の平均レート、ならびに無線リソースの利用率、およびオンライン・ユーザの数に従って、ターゲット・セルを決定するステップである。ターゲット・セルにおける個別ユーザによって経験されるターゲット・レートは、ターゲット・セルにおけるユーザによって経験される実際の平均レートよりも大きく、ターゲット・セルにおける無線リソースの利用率は、事前設定された閾値よりも大きく、ターゲット・セルにおけるオンライン・ユーザの数は、事前設定された閾値よりも大きい。
【００４９】
ステップ１０８は、ターゲット・セル上においてネットワーク容量拡大を実行するステップである。
【００５０】
この実施形態においては、複数のセルにおけるモバイル・ユーザのオンライン記録情報が、収集され、モバイル・ユーザのオンライン記録情報は、ユーザ識別情報、ユーザ識別情報に対応するサービス・タイプ、ならびにサービス・タイプに対応するアップリンク・トラフィック、ダウンリンク・トラフィック、およびオンライン持続時間を含み、セルの各々におけるターゲット・サービス・タイプが、複数のセルにおけるサービス・タイプの各々、サービス・タイプの各々に対応するアップリンク・トラフィック、およびダウンリンク・トラフィック、ならびにサービス・タイプの各々に対応する事前設定された閾値に従ってそれぞれ獲得され、各セルについて、セルにおけるターゲット・サービス・タイプのレートが、セルにおけるターゲット・サービス・タイプに対応する総トラフィック、およびターゲット・サービス・タイプのオンライン持続時間に従って獲得され、ターゲット・サービス・タイプの各々について、ターゲット・サービス・タイプのターゲット・レートが、異なるセルにおけるターゲット・サービス・タイプに対応するレートに従って獲得され、ターゲット・サービス・タイプの各々について、ターゲット・サービス・タイプの重み、および個別ユーザの同時サービスの数が、異なるセルにおけるターゲット・サービス・タイプに対応するオンライン持続時間、異なるセルにおけるターゲット・サービス・タイプ以外の他のターゲット・サービス・タイプに対応するオンライン持続時間、ターゲット・サービス・タイプに対応するユーザ識別情報の数、ならびにターゲット・サービス・タイプに対応するユーザ識別情報下におけるターゲット・サービス・タイプの記録された数に従って獲得され、各セルについて、セルにおける個別ユーザによって経験されるターゲット・レート、およびユーザによって経験される実際の平均レートが、セルにおけるターゲット・サービス・タイプのアップリンク・トラフィック、ダウンリンク・トラフィック、オンライン持続時間、ターゲット・レート、および重み、ならびに個別ユーザの同時サービスの数に従って獲得され、各セルについて、セルにおける無線リソースの利用率、およびオンライン・ユーザの数が、獲得され、ターゲット・セルが、セルにおける個別ユーザによって経験されるターゲット・レート、およびユーザによって経験される実際の平均レート、ならびに無線リソースの利用率、およびオンライン・ユーザの数に従って決定され、ターゲット・セルにおける個別ユーザによって経験されるターゲット・レートは、ターゲット・セルにおけるユーザによって経験される実際の平均レートよりも大きく、ターゲット・セルにおける無線リソースの利用率は、事前設定された閾値よりも大きく、ターゲット・セルにおけるオンライン・ユーザの数は、事前設定された閾値よりも大きく、ネットワーク容量拡大が、セルにおける無線リソースの利用率、ユーザによって経験される実際の平均レート、および個別ユーザによって経験されるターゲット・レートに従って、そのような方法で、ターゲット・セル上において実行され、ターゲット・セルが、決定されることができ、ネットワーク容量拡大が、ターゲット・セル上において実行され、それによって、ターゲット・セルにおけるユーザ・エクスペリエンスを改善し、それと同時に、良好なユーザ・エクスペリエンスを有するセルの容量拡大に起因するリソース浪費の問題を回避する。
【００５１】
図２は、本発明によって提供されるネットワーク容量拡大のための方法の実施形態２のフロー図であり、図２に示されるように、方法は、以下のステップを含む。
【００５２】
ステップ２０１は、複数のセルにおけるモバイル・ユーザのオンライン記録情報を収集するステップである。モバイル・ユーザのオンライン記録情報は、ユーザ識別情報、ユーザ識別情報に対応するサービス・タイプ、ならびにサービス・タイプに対応するアップリンク・トラフィック、ダウンリンク・トラフィック、およびオンライン持続時間を含む。
【００５３】
ステップ２０２は、複数のセルにおけるサービス・タイプの各々、サービス・タイプの各々に対応するアップリンク・トラフィック、およびダウンリンク・トラフィック、ならびにサービス・タイプの各々に対応する事前設定された閾値に従って、各セルにおけるターゲット・サービス・タイプをそれぞれ獲得するステップである。
【００５４】
ステップ２０３は、各セルについて、セルにおけるターゲット・サービス・タイプに対応する総トラフィック、およびターゲット・サービス・タイプに対応するオンライン持続時間に従って、セルにおけるターゲット・サービス・タイプのレートを獲得するステップである。
【００５５】
ステップ２０４は、ターゲット・サービス・タイプの各々について、異なるセルにおけるターゲット・サービス・タイプに対応するレートを降順で順序付けるステップである。
【００５６】
ステップ２０５は、事前設定されたパーセンテージに従って、順序付けの後に、異なるセルにおけるターゲット・サービス・タイプのレートを抽出し、抽出の後に、ターゲット・サービス・タイプのターゲット・レートを獲得するために、異なるセルにおけるターゲット・サービス・タイプに対応するレートを平均するステップである。
【００５７】
ステップ２０６は、ターゲット・サービス・タイプの各々について、異なるセルにおけるターゲット・サービス・タイプに対応するオンライン持続時間、異なるセルにおけるターゲット・サービス・タイプ以外の他のターゲット・サービス・タイプに対応するオンライン持続時間、ターゲット・サービス・タイプに対応するユーザ識別情報の数、ならびにターゲット・サービス・タイプに対応するユーザ識別情報下におけるターゲット・サービス・タイプの記録された数に従って、ターゲット・サービス・タイプの重み、および個別ユーザの同時サービスの数を獲得するステップである。
【００５８】
ステップ２０７は、各セルについて、ターゲット・サービス・タイプのアップリンク・トラフィック、ダウンリンク・トラフィック、オンライン持続時間、ターゲット・レート、および重み、ならびにセルにおける個別ユーザの同時サービスの数に従って、セルにおける個別ユーザによって経験されるターゲット・レート、およびユーザによって経験される実際の平均レートを獲得するステップである。
【００５９】
ステップ２０８は、各セルについて、セルにおける無線リソースの利用率、およびオンライン・ユーザの数を獲得し、セルにおける個別ユーザによって経験されるターゲット・レート、およびユーザによって経験される実際の平均レート、ならびに無線リソースの利用率、およびオンライン・ユーザの数に従って、ターゲット・セルを決定するステップである。ターゲット・セルにおける個別ユーザによって経験されるターゲット・レートは、ターゲット・セルにおけるユーザによって経験される実際の平均レートよりも大きく、ターゲット・セルにおける無線リソースの利用率は、事前設定された閾値よりも大きく、ターゲット・セルにおけるオンライン・ユーザの数は、事前設定された閾値よりも大きい。
【００６０】
ステップ２０９は、ターゲット・セル上においてネットワーク容量拡大を実行するステップである。
【００６１】
この実施形態においては、ターゲット・サービス・タイプの各々について、異なるセルにおけるターゲット・サービス・タイプのレートを降順で順序付けるステップと、事前設定されたパーセンテージに従って、順序付けの後に、異なるセルにおけるターゲット・サービス・タイプに対応するレートを抽出するステップと、抽出の後に、異なるセルにおけるターゲット・サービス・タイプに対応するレートを平均するステップとによって、ターゲット・サービス・タイプのターゲット・レートが、ターゲット・サービス・タイプのターゲット・レートの獲得効率を改善するように獲得される。
【００６２】
図３は、本発明によって提供されるネットワーク容量拡大のための方法の実施形態３のフロー図であり、図３に示されるように、方法は、以下のステップを含む。
【００６３】
ステップ３０１は、複数のセルにおけるモバイル・ユーザのオンライン記録情報を収集するステップである。モバイル・ユーザのオンライン記録情報は、ユーザ識別情報、ユーザ識別情報に対応するサービス・タイプ、ならびにサービス・タイプに対応するアップリンク・トラフィック、ダウンリンク・トラフィック、およびオンライン持続時間を含む。
【００６４】
ステップ３０２は、各セルについて、セルにおけるサービス・タイプの各々、ならびにサービス・タイプの各々に対応するアップリンク・トラフィック、およびダウンリンク・トラフィックに従って、セルにおけるサービス・タイプの各々の総トラフィックを獲得するステップである。
【００６５】
ステップ３０３は、セルにおけるサービス・タイプの各々の総トラフィック、およびサービス・タイプの各々に対応する事前設定された閾値に従って、ターゲット・サービス・タイプを獲得するステップである。ターゲット・サービス・タイプの総トラフィックは、ターゲット・サービス・タイプに対応する事前設定された閾値よりも大きい。
【００６６】
ステップ３０４は、各セルについて、セルにおけるターゲット・サービス・タイプに対応する総トラフィック、およびターゲット・サービス・タイプに対応するオンライン持続時間に従って、セルにおけるターゲット・サービス・タイプのレートを獲得するステップである。
【００６７】
ステップ３０５は、ターゲット・サービス・タイプの各々について、異なるセルにおけるターゲット・サービス・タイプに対応するレートに従って、ターゲット・サービス・タイプのターゲット・レートを獲得するステップである。
【００６８】
ステップ３０６は、ターゲット・サービス・タイプの各々について、異なるセルにおけるターゲット・サービス・タイプに対応するオンライン持続時間、異なるセルにおけるターゲット・サービス・タイプ以外の他のターゲット・サービス・タイプに対応するオンライン持続時間、ターゲット・サービス・タイプに対応するユーザ識別情報の数、ならびにターゲット・サービス・タイプに対応するユーザ識別情報下におけるターゲット・サービス・タイプの記録された数に従って、ターゲット・サービス・タイプの重み、および個別ユーザの同時サービスの数を獲得するステップである。
【００６９】
ステップ３０７は、各セルについて、ターゲット・サービス・タイプのアップリンク・トラフィック、ダウンリンク・トラフィック、オンライン持続時間、ターゲット・レート、および重み、ならびにセルにおける個別ユーザの同時サービスの数に従って、セルにおける個別ユーザによって経験されるターゲット・レート、およびユーザによって経験される実際の平均レートを獲得するステップである。
【００７０】
ステップ３０８は、各セルについて、セルにおける無線リソースの利用率、およびオンライン・ユーザの数を獲得し、個別ユーザによって経験されるターゲット・レート、およびユーザによって経験される実際の平均レート、ならびにセルにおける無線リソースの利用率、およびオンライン・ユーザの数に従って、ターゲット・セルを決定するステップである。ターゲット・セルにおける個別ユーザによって経験されるターゲット・レートは、ターゲット・セルにおけるユーザによって経験される実際の平均レートよりも大きく、ターゲット・セルにおける無線リソースの利用率は、事前設定された閾値よりも大きく、ターゲット・セルにおけるオンライン・ユーザの数は、事前設定された閾値よりも大きい。
【００７１】
ステップ３０９は、ターゲット・セル上においてネットワーク容量拡大を実行するステップである。
【００７２】
この実施形態においては、各セルについて、セルにおけるサービス・タイプの各々、ならびにサービス・タイプの各々に対応するアップリンク・トラフィック、およびダウンリンク・トラフィックに従って、セルにおけるサービス・タイプの各々の総トラフィックを獲得するステップと、セルにおけるサービス・タイプの各々の総トラフィック、およびサービス・タイプの各々に対応する事前設定された閾値に従って、ターゲット・サービス・タイプを獲得するステップであって、ターゲット・サービス・タイプの総トラフィックは、ターゲット・サービス・タイプに対応する事前設定された閾値よりも大きい、ステップとによって、異なるターゲット・サービス・タイプが、実際の適用状況に従って、獲得されてよい。
【００７３】
図４は、本発明によって提供されるネットワーク容量拡大のための方法の実施形態４のフロー図であり、図４に示されるように、方法は、以下のステップを含む。
【００７４】
ステップ４０１は、複数のセルにおけるモバイル・ユーザのオンライン記録情報を収集するステップである。モバイル・ユーザのオンライン記録情報は、ユーザ識別情報、ユーザ識別情報に対応するサービス・タイプ、ならびにサービス・タイプに対応するアップリンク・トラフィック、ダウンリンク・トラフィック、およびオンライン持続時間を含む。
【００７５】
ステップ４０２は、サービス・タイプの各々、サービス・タイプの各々に対応するアップリンク・トラフィック、およびダウンリンク・トラフィック、ならびに複数のセルにおけるサービス・タイプの各々に対応する事前設定された閾値に従って、各セルにおけるターゲット・サービス・タイプをそれぞれ獲得するステップである。
【００７６】
ステップ４０３は、各セルについて、セルにおけるターゲット・サービス・タイプに対応する総トラフィック、およびターゲット・サービス・タイプに対応するオンライン持続時間に従って、セルにおけるターゲット・サービス・タイプのレートを獲得するステップである。
【００７７】
ステップ４０４は、ターゲット・サービス・タイプの各々について、異なるセルにおけるターゲット・サービス・タイプに対応するレートを降順で順序付けるステップである。
【００７８】
ステップ４０５は、事前設定されたパーセンテージに従って、順序付けの後に、異なるセルにおけるターゲット・サービス・タイプのレートを抽出し、抽出の後に、ターゲット・サービス・タイプのターゲット・レートを獲得するために、異なるセルにおけるターゲット・サービス・タイプに対応するレートを平均するステップである。
【００７９】
ステップ４０６は、ターゲット・サービス・タイプの各々が配置された第ｊのセルについて、第ｊのセルにおけるターゲット・サービス・タイプに対応するオンライン持続時間、ならびに第ｊのセルにおけるすべてのターゲット・タイプに対応するオンライン持続時間の総和を獲得し、ターゲット・サービス・タイプが配置された第ｊのセルの重みを獲得するステップである。
【００８０】
この実施形態においては、ターゲット・サービス・タイプが配置された第ｊのセルの重みは、第ｊのセルにおけるすべてのターゲット・タイプに対応するオンライン持続時間の総和によって除算された、第ｊのセルにおけるターゲット・サービス・タイプに対応するオンライン持続時間に等しい。
【００８１】
ステップ４０７は、ターゲット・サービス・タイプの各々が配置された第ｊのセルについて、第ｊのセルにおけるターゲット・サービス・タイプに対応するユーザ識別情報の数、ならびにターゲット・サービス・タイプに対応するユーザ識別情報下におけるターゲット・サービス・タイプの記録された数に従って、以下の式（１）を用いるステップである。
【００８２】
【数１】
0006434659.tif 000002
【００８３】
この式は、ターゲット・サービス・タイプが配置された第ｊのセルにおける個別ユーザの同時サービスの数を獲得するためのものである。
【００８４】
ここで、Ｃｊは、第ｊのセルにおける個別ユーザの同時サービスの数であり、ｎｊは、第ｊのセルにおけるターゲット・サービス・タイプの総数であり、Ｎｉｊは、第ｊのセルにおける第ｉのターゲット・サービス・タイプの記録された数であり、Ｍｉｊは、第ｊのセルにおける第ｉのターゲット・サービス・タイプを使用するユーザの数であり、ｊは、正の整数である。
【００８５】
ステップ４０８は、各セルについて、ターゲット・サービス・タイプのアップリンク・トラフィック、ダウンリンク・トラフィック、オンライン持続時間、ターゲット・レート、および重み、ならびにセルにおける個別ユーザの同時サービスの数に従って、セルにおける個別ユーザによって経験されるターゲット・レート、およびユーザによって経験される実際の平均レートを獲得するステップである。
【００８６】
ステップ４０９は、各セルについて、セルにおける無線リソースの利用率、およびオンライン・ユーザの数を獲得し、セルにおける個別ユーザによって経験されるターゲット・レート、およびユーザによって経験される実際の平均レート、ならびに無線リソースの利用率、およびオンライン・ユーザの数に従って、ターゲット・セルを決定するステップである。ターゲット・セルにおける個別ユーザによって経験されるターゲット・レートは、ターゲット・セルにおけるユーザによって経験される実際の平均レートよりも大きく、ターゲット・セルにおける無線リソースの利用率は、事前設定された閾値よりも大きく、ターゲット・セルにおけるオンライン・ユーザの数は、事前設定された閾値よりも大きい。
【００８７】
ステップ４１０は、ターゲット・セル上においてネットワーク容量拡大を実行するステップである。
【００８８】
この実施形態においては、ターゲット・サービス・タイプの各々が配置されたセルについて、セルにおけるターゲット・サービス・タイプに対応するオンライン持続時間、およびセルにおけるすべてのターゲット・タイプに対応するオンライン持続時間の総和を獲得するステップと、ターゲット・サービス・タイプが配置されたセルの重みを獲得するステップと、ターゲット・サービス・タイプの各々が配置されたセルについて、セルにおけるターゲット・サービス・タイプに対応するユーザ識別情報の数、ならびにターゲット・サービス・タイプに対応するユーザ識別情報下におけるターゲット・サービス・タイプの記録された数に従って、個別ユーザの同時サービスの数を獲得するステップとによって、したがって、ターゲット・サービス・タイプが配置されたセルの重みが改善され、セルにおける個別ユーザの同時(並行)サービスの数を取得する効率も改善される。
【００８９】
図５は、本発明によって提供されるネットワーク容量拡大のための方法の実施形態５のフロー図である。図４に示される実施形態に基づいて、図５に示されるように、本発明の実施形態５によって提供されるネットワーク容量拡大のための方法においては、ステップ４０８における、各セルについて、ターゲット・サービス・タイプのアップリンク・トラフィック、ダウンリンク・トラフィック、オンライン持続時間、ターゲット・レート、および重み、ならびにセルにおける個別ユーザの同時サービスの数に従って、セルにおける個別ユーザによって経験されるターゲット・レート、およびユーザによって経験される実際の平均レートを獲得するステップは、以下のステップを含む。
【００９０】
ステップ５０１は、ターゲット・サービス・タイプのターゲット・レート、ターゲット・サービス・タイプの重み、およびセルにおける個別ユーザの同時サービスの数に従って、以下の式（２）を用いるステップである。
【００９１】
【数２】
0006434659.tif 000003
【００９２】
この式は、各セルにおける個別ユーザによって経験されるターゲット・レートを獲得するためのものであり、ここで、ＶＯｊは、第ｊのセルにおける個別ユーザによって経験されるターゲット・レートであり、ｉは、サービス・タイプであり、Ｖｉｊは、第ｊのセルにおける第ｉのターゲット・サービス・タイプのターゲット・レートであり、Ｗｉｊは、第ｊのセルにおける第ｉのターゲット・サービス・タイプの重みであり、Ｃｊは、第ｊのセルにおける個別ユーザの同時サービスの平均数であり、ｎｊは、第ｊのセルにおけるターゲット・サービス・タイプの総数であり、ｊは、正の整数である。
【００９３】
ステップ５０２は、ターゲット・サービス・タイプの各々について、すべてのセルにおけるターゲット・サービス・タイプのアップリンク・トラフィック、ダウンリンク・トラフィック、およびオンライン持続時間に従って、すべてのターゲット・サービス・タイプの総トラフィック、およびすべてのターゲット・サービス・タイプの総オンライン持続時間を獲得し、セルにおけるユーザによって経験される実際の平均レートを獲得するステップである。
【００９４】
この実施形態においては、ターゲット・サービス・タイプのターゲット・レート、各セルにおける個別ユーザの同時サービスの数、ならびに各セルにおけるターゲット・サービス・タイプの重みを獲得することによって、各セルについて、ターゲット・セルが、セルにおける無線リソースの利用率、およびオンライン・ユーザの数に従って、ならびにセルにおける個別ユーザによって経験されるターゲット・レート、およびユーザによって経験される実際の平均レートに従って、決定されるように、各セルにおける個別ユーザによって経験されるターゲット・レートが、獲得され、したがって、ターゲット・セルを決定する正確性を改善する。
【００９５】
図６は、本発明によって提供されるネットワーク容量拡大のための方法の実施形態６のフロー図である。図２に示される実施形態に基づいて、図６に示されるように、本発明の実施形態６によって提供されるネットワーク容量拡大のための方法においては、ステップ２０６における、ターゲット・サービス・タイプの各々について、異なるセルにおけるターゲット・サービス・タイプに対応するオンライン持続時間、異なるセルにおけるターゲット・サービス・タイプ以外の他のターゲット・サービス・タイプに対応するオンライン持続時間、ターゲット・サービス・タイプに対応するユーザ識別情報の数、ならびにターゲット・サービス・タイプに対応するユーザ識別情報下におけるターゲット・サービス・タイプの記録された数に従って、ターゲット・サービス・タイプの重み、および個別ユーザの同時サービスの数を獲得するステップは、以下のステップを含む。
【００９６】
ステップ６０１は、すべてのセルにおけるターゲット・サービス・タイプの各々について、すべてのセルにおけるターゲット・サービス・タイプに対応するオンライン持続時間、ならびにすべてのセルにおけるすべてのターゲット・タイプに対応するオンライン持続時間の総和を獲得し、すべてのセルにおけるターゲット・サービス・タイプの重みを獲得するステップである。
【００９７】
ステップ６０２は、すべてのセルにおけるターゲット・サービス・タイプに対応するユーザ識別情報の数、およびターゲット・サービス・タイプに対応するユーザ識別情報下におけるターゲット・サービス・タイプの記録された数に従って、以下の式（３）を用いるステップである。
【００９８】
【数３】
0006434659.tif 000004
【００９９】
この式は、ターゲット・サービス・タイプの個別ユーザの同時サービスの数を獲得するためのものである。
【０１００】
ここで、Ｃは、ターゲット・サービス・タイプの個別ユーザの同時サービスの数であり、ｎは、すべてのセルにおけるターゲット・サービス・タイプの総数であり、Ｎｉは、すべてのセルにおける第ｉのターゲット・サービス・タイプの記録された数であり、Ｍｉは、すべてのセルにおける第ｉのターゲット・サービス・タイプを使用するユーザの数である。
【０１０１】
この実施形態においては、すべてのセルにおけるターゲット・サービス・タイプの各々について、すべてのセルにおけるターゲット・サービス・タイプに対応するオンライン持続時間、ならびにすべてのセルにおけるすべてのターゲット・タイプに対応するオンライン持続時間の総和を獲得し、すべてのセルにおけるターゲット・サービス・タイプの重みを獲得するステップと、すべてのセルにおけるターゲット・サービス・タイプに対応するユーザ識別情報の数、ならびにターゲット・サービス・タイプに対応するユーザ識別情報下におけるターゲット・サービス・タイプの記録された数に従って、ターゲット・サービス・タイプを用いる個別ユーザの同時サービスの数を獲得するステップとによって、ターゲット・サービス・タイプの重み、および個別ユーザの同時サービスの数を獲得する効率が、改善される。
【０１０２】
図７は、本発明によって提供されるネットワーク容量拡大のための方法の実施形態７のフロー図である。図４に示される実施形態に基づいて、図７に示されるように、本発明の実施形態７によって提供されるネットワーク容量拡大のための方法においては、ステップ４０８における、各セルについて、アップリンク・トラフィック、ダウンリンク・トラフィック、オンライン持続時間、ターゲット・サービス・タイプのターゲット・レート、および重み、ならびにセルにおける個別ユーザの同時サービスの数に従って、セルにおける個別ユーザによって経験されるターゲット・レート、およびユーザによって経験される実際の平均レートを獲得するステップは、以下のステップを含む。
【０１０３】
ステップ７０１は、ターゲット・サービス・タイプのターゲット・レート、ターゲット・サービス・タイプの重み、ならびに個別ユーザの同時サービスの数に従って、以下の式（４）を用いることによって、セルにおける個別ユーザによって経験されるターゲット・レートを獲得するステップである。
【０１０４】
【数４】
0006434659.tif 000005
【０１０５】
ここで、ＶＯは、セルにおける個別ユーザによって経験されるターゲット・レートであり、ｉは、正の整数であり、Ｖｉは、第ｉのターゲット・サービス・タイプのターゲット・レートであり、Ｗｉは、すべてのセルにおける第ｉのターゲット・サービス・タイプの重みであり、Ｃは、すべてのセルにおける個別ユーザの同時サービスの平均数であり、ｎは、すべてのセルにおけるターゲット・サービス・タイプの数である。
【０１０６】
ステップ７０２は、ターゲット・サービス・タイプの各々について、すべてのセルにおけるターゲット・サービス・タイプのアップリンク・トラフィック、ダウンリンク・トラフィック、およびオンライン持続時間に従って、すべてのターゲット・サービス・タイプの総トラフィック、およびすべてのターゲット・サービス・タイプの総オンライン持続時間を獲得し、セルにおけるユーザによって経験される実際の平均レートを獲得するステップである。
【０１０７】
この実施形態においては、セルにおける個別ユーザによって経験されるターゲット・レートを獲得するように、ターゲット・サービス・タイプのターゲット・レート、すべてのセルにおける個別ユーザの同時サービスの数、ならびにすべてのセルにおけるターゲット・サービス・タイプの重みを獲得することによって、セルにおける個別ユーザによって経験されるターゲット・レートを獲得する効率が、改善される。
【０１０８】
図８は、本発明によって提供されるネットワーク容量拡大のための装置の実施形態１の構造図であり、図８に示されるように、装置は、収集モジュール１０と、第１の獲得モジュール１１と、第２の獲得モジュール１２と、第３の獲得モジュール１３と、第４の獲得モジュール１４と、第５の獲得モジュール１５と、決定モジュール１６と、容量拡大モジュール１７とを含む。
【０１０９】
収集モジュール１０は、複数のセルにおけるモバイル・ユーザのオンライン記録情報を収集するように構成され、モバイル・ユーザのオンライン記録情報は、ユーザ識別情報、ユーザ識別情報に対応するサービス・タイプ、ならびにサービス・タイプに対応するアップリンク・トラフィック、ダウンリンク・トラフィック、およびオンライン持続時間を含む。
【０１１０】
第１の獲得モジュール１１は、複数のセルにおけるサービス・タイプの各々、サービス・タイプの各々に対応するアップリンク・トラフィック、およびダウンリンク・トラフィック、ならびにサービス・タイプの各々に対応する事前設定された閾値に従って、各セルにおけるターゲット・サービス・タイプをそれぞれ獲得するように構成される。
【０１１１】
第２の獲得モジュール１２は、各セルについて、セルにおけるターゲット・サービス・タイプに対応する総トラフィック、およびターゲット・サービス・タイプに対応するオンライン持続時間に従って、セルにおけるターゲット・サービス・タイプのレートを獲得するように構成される。
【０１１２】
第３の獲得モジュール１３は、ターゲット・サービス・タイプの各々について、異なるセルにおけるターゲット・サービス・タイプに対応するレートに従って、ターゲット・サービス・タイプのターゲット・レートを獲得するように構成される。
【０１１３】
第４の獲得モジュール１４は、ターゲット・サービス・タイプの各々について、異なるセルにおけるターゲット・サービス・タイプに対応するオンライン持続時間、異なるセルにおけるターゲット・サービス・タイプ以外の他のターゲット・サービス・タイプに対応するオンライン持続時間、ターゲット・サービス・タイプに対応するユーザ識別情報の数、およびターゲット・サービス・タイプに対応するユーザ識別情報下におけるターゲット・サービス・タイプの記録された数に従って、ターゲット・サービス・タイプの重み、および個別ユーザの同時サービスの数を獲得するように構成される。
【０１１４】
第５の獲得モジュール１５は、各セルについて、ターゲット・サービス・タイプのアップリンク・トラフィック、ダウンリンク・トラフィック、オンライン持続時間、ターゲット・レート、および重み、ならびにセルにおける個別ユーザの同時サービスの数に従って、セルにおける個別ユーザによって経験されるターゲット・レート、およびユーザによって経験される実際の平均レートを獲得するように構成される。
【０１１５】
決定モジュール１６は、各セルについて、セルにおける無線リソースの利用率、およびオンライン・ユーザの数を獲得し、個別ユーザによって経験されるターゲット・レート、およびユーザによって経験される実際の平均レート、ならびにセルにおける無線リソースの利用率、およびオンライン・ユーザの数に従って、ターゲット・セルを決定するように構成され、ターゲット・セルにおける個別ユーザによって経験されるターゲット・レートは、ターゲット・セルにおけるユーザによって経験される実際の平均レートよりも大きく、ターゲット・セルにおける無線リソースの利用率は、事前設定された閾値よりも大きく、ターゲット・セルにおけるオンライン・ユーザの数は、事前設定された閾値よりも大きい。
【０１１６】
容量拡大モジュール１７は、ターゲット・セル上においてネットワーク容量拡大を実行するように構成される。
【０１１７】
この実施形態におけるネットワーク容量拡大のための装置は、図１に示される方法の実施形態の技術的ソリューションを実装することができ、実現原理およびそれの有益な効果は、上で説明されたものと同様であり、それをここで繰り返すことはしない。
【０１１８】
図９は、本発明によって提供されるネットワーク容量拡大のための装置の実施形態２の構造図である。図９に示されるように、上述の実施形態１に基づいて、第３の獲得モジュール１３は、以下のユニットを含む。
【０１１９】
ターゲット・サービス・タイプの各々について、異なるセルにおけるターゲット・サービス・タイプに対応するレートを降順で順序付けるように構成された、順序付けユニット１３０。
【０１２０】
事前設定されたパーセンテージに従って、順序付けの後に、異なるセルにおけるターゲット・サービス・タイプのレートを抽出するように構成された、抽出ユニット１３１。
【０１２１】
抽出の後に、ターゲット・サービス・タイプのターゲット・レートを獲得するために、異なるセルにおけるターゲット・サービス・タイプに対応するレートを平均するように構成された、第１のターゲット・レート獲得ユニット１３２。
【０１２２】
この実施形態におけるネットワーク容量拡大のための装置は、図２に示される方法の実施形態の技術的ソリューションを実装することができ、実現原理およびそれの有益な効果は、上で説明されたものと同様であり、それをここで繰り返すことはしない。
【０１２３】
図１０は、本発明によって提供されるネットワーク容量拡大のための装置の実施形態３の構造図である。図１０に示されるように、実施形態１に基づいて、第１の獲得モジュール１１は、以下のユニットを含む。
【０１２４】
各セルについて、セルにおけるサービス・タイプの各々、ならびにサービス・タイプの各々に対応するアップリンク・トラフィック、およびダウンリンク・トラフィックに従って、セルにおけるサービス・タイプの各々の総トラフィックを獲得するように構成された、トラフィック獲得ユニット１１０。
【０１２５】
セルにおけるサービス・タイプの各々の総トラフィック、およびサービス・タイプの各々に対応する事前設定された閾値に従って、ターゲット・サービス・タイプを獲得するように構成された、ターゲット・サービス・タイプ獲得ユニット１１１であって、
ターゲット・サービス・タイプの総トラフィックは、ターゲット・サービス・タイプに対応する事前設定された閾値よりも大きい、ターゲット・サービス・タイプ獲得ユニット１１１。
【０１２６】
この実施形態におけるネットワーク容量拡大のための装置は、図３に示される方法の実施形態の技術的ソリューションを実装することができ、実現原理およびそれの有益な効果は、上で説明されたものと同様であり、それをここで繰り返すことはしない。
【０１２７】
図１１は、本発明によって提供されるネットワーク容量拡大のための装置の実施形態４の構造図である。図１１に示されるように、実施形態２に基づいて、第４の獲得モジュール１４は、以下のユニットを含む。
【０１２８】
ターゲット・サービス・タイプの各々が配置された第ｊのセルについて、第ｊのセルにおけるターゲット・サービス・タイプに対応するオンライン持続時間、および第ｊのセルにおけるすべてのターゲット・タイプに対応するオンライン持続時間の総和を獲得し、ターゲット・サービス・タイプが配置された第ｊのセルの重みを獲得するように構成された、第１の重み獲得ユニット１４０。
【０１２９】
ターゲット・サービス・タイプの各々が配置された第ｊのセルについて、第ｊのセルにおけるターゲット・サービス・タイプに対応するユーザ識別情報の数、ならびにターゲット・サービス・タイプに対応するユーザ識別情報下におけるターゲット・サービス・タイプの記録された数に従って、式（１）を用いるように構成された、第１の同時サービス数獲得ユニット１４１。
【０１３０】
【数５】
0006434659.tif 000006
【０１３１】
この式は、ターゲット・サービス・タイプが配置された第ｊのセルにおける個別ユーザの同時サービスの数を獲得するためのものである。
【０１３２】
ここで、Ｃｊは、第ｊのセルにおける個別ユーザの同時サービスの数であり、ｎｊは、第ｊのセルにおけるターゲット・サービス・タイプの総数であり、Ｎｉｊは、第ｊのセルにおける第ｉのターゲット・サービス・タイプの記録された数であり、Ｍｉｊは、第ｊのセルにおける第ｉのターゲット・サービス・タイプを使用するユーザの数であり、ｊは、正の整数である。
【０１３３】
この実施形態におけるネットワーク容量拡大のための装置は、図４に示される方法の実施形態の技術的ソリューションを実装することができ、実現原理およびそれの有益な効果は、上で説明されたものと同様であり、それをここで繰り返すことはしない。
【０１３４】
図１２は、本発明によって提供されるネットワーク容量拡大のための装置の実施形態５の構造図である。図１２に示されるように、実施形態４に基づいて、第５の獲得モジュール１５は、以下のユニットを含む。
【０１３５】
ターゲット・サービス・タイプのターゲット・レート、ターゲット・サービス・タイプの重み、ならびにセルにおける個別ユーザの同時サービスの数に従って、式（２）を用いるように構成された、第２のターゲット・レート獲得ユニット１５０。
【０１３６】
【数６】
0006434659.tif 000007
【０１３７】
この式は、各セルにおける個別ユーザによって経験されるターゲット・レートを獲得するためのものであり、ここで、ＶＯｊは、第ｊのセルにおける個別ユーザによって経験されるターゲット・レートであり、ｉは、サービス・タイプであり、Ｖｉｊは、第ｊのセルにおける第ｉのターゲット・サービスのターゲット・レートであり、Ｗｉｊは、第ｊのセルにおける第ｉのターゲット・サービス・タイプの重みであり、Ｃｊは、第ｊのセルにおける個別ユーザの同時サービスの平均数であり、ｎｊは、第ｊのセルにおけるターゲット・サービス・タイプの総数であり、ｊは、正の整数である。
【０１３８】
ターゲット・サービス・タイプの各々について、すべてのセルにおけるターゲット・サービス・タイプのアップリンク・トラフィック、ダウンリンク・トラフィック、およびオンライン持続時間に従って、すべてのターゲット・サービス・タイプの総トラフィック、およびすべてのターゲット・サービス・タイプの総オンライン持続時間を獲得し、セルにおけるユーザによって経験される実際の平均レートを獲得するように構成された、第１の経験レート獲得ユニット１５１。
【０１３９】
この実施形態におけるネットワーク容量拡大のための装置は、図５に示される方法の実施形態の技術的ソリューションを実装することができ、実現原理およびそれの有益な効果は、上で説明されたものと同様であり、それをここで繰り返すことはしない。
【０１４０】
図１３は、本発明によって提供されるネットワーク容量拡大のための装置の実施形態６の構造図である。図１３に示されるように、実施形態２に基づいて、第４の獲得モジュール１４は、以下のユニットを含む。
【０１４１】
すべてのセルにおけるターゲット・サービス・タイプの各々について、すべてのセルにおけるターゲット・サービス・タイプに対応するオンライン持続時間、ならびにすべてのセルにおけるすべてのターゲット・タイプに対応するオンライン持続時間の総和を獲得し、すべてのセルにおけるターゲット・サービス・タイプの重みを獲得するように構成された、第２の重み獲得ユニット１４２。
【０１４２】
すべてのセルにおけるターゲット・サービス・タイプに対応するユーザ識別情報の数、およびターゲット・サービス・タイプに対応するユーザ識別情報下におけるターゲット・サービス・タイプの記録された数に従って、式（３）を用いるように構成された、第２の同時サービス数獲得ユニット１４３。
【０１４３】
【数７】
0006434659.tif 000008
【０１４４】
この式は、ターゲット・サービス・タイプの個別ユーザの同時サービスの数を獲得するためのものである。
【０１４５】
ここで、Ｃは、ターゲット・サービス・タイプの個別ユーザの同時サービスの数であり、ｎは、すべてのセルにおけるターゲット・サービス・タイプの総数であり、Ｎｉは、すべてのセルにおける第ｉのターゲット・サービス・タイプの記録された数であり、Ｍｉは、すべてのセルにおける第ｉのターゲット・サービス・タイプを使用するユーザの数である。
【０１４６】
この実施形態におけるネットワーク容量拡大のための装置は、図６に示される方法の実施形態の技術的ソリューションを実装することができ、実現原理およびそれの有益な効果は、上で説明されたものと同様であり、それをここで繰り返すことはしない。
【０１４７】
図１４は、本発明によって提供されるネットワーク容量拡大のための装置の実施形態７の構造図である。図１４に示されるように、実施形態６に基づいて、第５の獲得モジュール１５は、以下のユニットを含む。
【０１４８】
ターゲット・サービス・タイプのターゲット・レート、ターゲット・サービス・タイプの重み、ならびに個別ユーザの同時サービスの数に従って、式（４）を用いることによって、セルにおける個別ユーザによって経験されるターゲット・レートを獲得するように構成された、第３のターゲット・レート獲得ユニット１５２。
【０１４９】
【数８】
0006434659.tif 000009
【０１５０】
ここで、ＶＯは、セルにおける個別ユーザによって経験されるターゲット・レートであり、ｉは、正の整数であり、Ｖｉは、第ｉのターゲット・サービス・タイプのターゲット・レートであり、Ｗｉは、すべてのセルにおける第ｉのターゲット・サービス・タイプの重みであり、Ｃは、すべてのセルにおける個別ユーザの同時サービスの平均数であり、ｎは、すべてのセルにおけるターゲット・サービス・タイプの数である。
【０１５１】
ターゲット・サービス・タイプの各々について、すべてのセルにおけるターゲット・サービス・タイプのアップリンク・トラフィック、ダウンリンク・トラフィック、およびオンライン持続時間に従って、すべてのターゲット・サービス・タイプの総トラフィック、およびすべてのターゲット・サービス・タイプの総オンライン持続時間を獲得し、セルにおけるユーザによって経験される実際の平均レートを獲得するように構成された、第２の経験レート獲得ユニット１５３。
【０１５２】
この実施形態におけるネットワーク容量拡大のための装置は、図７に示される方法の実施形態の技術的ソリューションを実装することができ、実現原理およびそれの有益な効果は、上で説明されたものと同様であり、それをここで繰り返すことはしない。
【０１５３】
当業者は、上述の方法の実施形態のステップのすべてまたは一部が、関連ハードウェアに命令するプログラムによって実装されてよいことを理解するであろう。上述のプログラムは、コンピュータ可読記憶媒体内に記憶されてよい。プログラムが、動作するとき、上述の方法の実施形態のステップが、実行される。上述の記憶媒体は、ＲＯＭ、ＲＡＭ、磁気ディスク、または光ディスクなどの、プログラム・コードを記憶することが可能な様々な媒体を含む。
【０１５４】
最後に、上述の実施形態は、本発明を限定するためではなく、本発明の技術的ソリューションを説明するために意図されたものにすぎないことに留意されたい。本発明が、上述の実施形態を参照して、詳細に説明されたが、当業者は、彼らが、依然として、上述の実施形態において説明された技術的ソリューションに変更を施してよく、またはそれらにおけるいくつかもしくはすべての技術的特徴に等価な置換を施してよいが、しかしながら、これらの変更または置換が、対応する技術的ソリューションの本質を、本発明の実施形態における技術的ソリューションの範囲から逸脱させることはないことを理解されたい。
【図１】
0006434659.tif 000018
【図２】
0006434659.tif 000019
【図３】
0006434659.tif 000020
【図４】
0006434659.tif 000021
【図５】
0006434659.tif 000022
【図６】
0006434659.tif 000023
【図７】
0006434659.tif 000024
【図８】
0006434659.tif 000025
【図９】
0006434659.tif 000026
【図１０】
0006434659.tif 000027
【図１１】
0006434659.tif 000028
【図１２】
0006434659.tif 000029
【図１３】
0006434659.tif 000030
【図１４】
0006434659.tif 000031